(57)【要約】　　　（修正有）【課題】ただ単にショーウィンドや店舗の窓ガラス、ドアーなどにセロテープやガムテープや画鋲で仮止めした告知板は脱落しやすく、且つ展示物としても大変見苦しくて、美的でなく店のイメージが損なわれている。そこで完全接着で再剥離の粘着剤を塗布した物品を考案した。【解決手段】本物品は、告知した印刷物を何回でも出し入れすることができる、表面に再剥離ののりを被膜し、手軽に美しく完全に接着が出来、脱落しない物品を考案した。且つ接着したのり部分は、再剥離ののりを使用しているため何度でも取り外しが出来、再使用できる。従ってこの物品は、従来の片手間の告知ファイルではなく、告知ファイルとしての目的で考案した物品である。【選択図】　図３
0003097182.tif 000002
【実用新案登録請求の範囲】
【請求項１】
本物品は、図１が示すように、ポリプロピレン又は　ペットフィルム１．再剥離粘着剤２．粘着剤を保護する剥離紙３、の三層で構成されたフィルム状のシートを使用する。
【請求項２】
図１のように、右表面１（表ＩＩ）のみ、粘着剤２が被膜され、その上に保護紙３が貼ってある。
【請求項３】
図２のように、この三層に構成されたフィルム状のシートは、表Ｉ１６、右側表ＩＩ１７．、．右側表ＩＩの裏面粘着部分１８、粘着剤を保護する紙１９、物品の上下に３ｍｍ〜５ｍｍの穴（４〜１５）、１２個の穴をあける。
【請求項４】
図２のように、仕上げた物品をセンターで折り返しが出来るように加工し、表Ｉ１６が、表ＩＩ１７の上になるように二つ折にする。そうすることにより、物品の上下（４〜１５）の穴は上部３個、下部３個になり、袋状の物品となる。
【請求項５】
図３のように、袋状になった物品は、表Ｉ１６が、表ＩＩ１７の上になり表ＩＩの裏面は粘着部分１８、　粘着剤を保護する紙１９に構成される。表ＩＩ１７の裏面のみ粘着部分と保護紙が貼ったシートになっている。
【請求項６】
図３のように、袋状の上部２８、下部２９は、超音波加工により、熱接着を施し袋状に仕上げる。
超音波加工で仕上げる時、表Ｉ１６は表面になり、表ＩＩ１７は裏面になる。表ＩＩ１７には、粘着剤の保護紙が施してあるので、それにより断熱状能となり、表Ｉ１６のフィルムと、表ＩＩ１７のフィルムが熱加工で接着され、粘着部分に加工された保護紙は簡単に取り外すことが出来る。
【請求項７】
図３のように、物品の右横表Ｉ１６と表ＩＩ１７の間は、印刷物等を封入する目的の為、開くことが出来る。　さらに上　　　　　　　　　部の穴（４と５６と７８と９）、下部の穴（１０と１１　１２と１３　１４と１５）は、接着剤部分で完全に接着が難しい布製、木製の対象物に対し、物品の上下の穴に画鋲など使用することで完全に接着でき、脱落しないように工夫した。
【考案の詳細な説明】
【０００１】
【考案の属する技術分野】
この考案は、従来の告知板にはないポリプロピレンやペットフィルムに、再剥離が可能な粘着剤を塗布したシートに上部及び下部を超音波加工で熱接着し、袋状に仕上げた告知板である。塗布されてある粘着剤の保護紙をはがして対象物に完全に接着することが出来、又取り外しも自由に出来、何回でも告知印刷物を封入することが出来る。従来にない資源の再利用をテーマに考えた物品である。
【０００２】
【従来の技術】従来の告知板の多くは、２枚のラミネートフィルムの間に印刷物などを挟み込んで四方を熱接着したものを対象物にセロテープやガムテープ、画鋲などで仮止めしたものが多く見られる。
【０００３】
【考案が解決しようとする課題】
このように、ただ単にショーウィンドや店舗の窓ガラス、ドアーなどにセロテープやガムテープや画鋲で仮止めした告知板は脱落しやすく、且つ展示物としても大変見苦しくて、美的でなく店のイメージが損なわれている。そこで完全接着で再剥離の粘着剤を塗布した物品を考案した。
【０００４】
【課題を解決する手段】
告知したい印刷物は、この考案した物品が、一枚有れば印刷　　　　　　　　　物を取りかえることにより、経済的にも非常に安価な予算で告知ファイルが出来る。　ポリプロピレンやペットフィルムに再剥離が可能な粘着剤を塗布したシートを，袋状に仕上げ、片面（表ＩＩ）のみ保護紙で保護されている。　その保護紙を取り外し対象物に簡単に貼ることが出来る物品である。
【０００５】
【考案の実施形態】
本物品は広告媒体として広く社会に受け入れられる為に一番注意したことは、（ｉ）経済的である　（ｉｉ）美しいデイスプレイ（ｉｉｉ）ＩＴ社会の中で個性的な広告媒体として広く店頭で採用されることを目標に物品考案した。物品の図４の上部下部それぞれの穴は、粘着剤で完全に接着できない布製、木製、其の他の告知板に画鋲等で留めることが出来るように工夫した。
【０００６】
【実施例】図４は　ショーウインドのガラスの表面　又は裏面に印刷物を封入した本物品を貼る。
図５は　ホワイトボード　冷蔵庫の表面に印刷物を封入した本物品を貼る。
図６は　完全に接着できない布製、木製の伝言板や掲示板には上部、下部の穴に　ピンや画鋲などで留めることで脱落しないように工夫した。
【０００７】
【考案の効果】以上のように、本考案に係る物品は、従来の安易なセロテープなどで止めた告知板でなく、広告媒体として店舗の宣伝効果と美しいデイスプレーを念頭において考えた物品である。使用する側にとっては、本物品を一度使用することにより簡単に広告媒体の印刷物を何回も取りかえることが出来るので費用面においても経済的であり、資源の有効利用は勿論の事　　　　　　　　　地球環境にやさしくをテーマに考案した物品である。
【図面の簡単な説明】
【図１】「告知ファイルを示した断面図である」
【図２】「告知ファイルを示した平面図である」
【図３】「告知ファイルを示した完成図である」
【図４】「告知ファイルを示した具体的な使用例である」
【図５】「告知ファイルを示した具体的な使用例である」
【図６】「告知ファイルを示した具体的な使用例である」
【符号の説明】断面図の図１の１、フィルムシート　２、再剥離ののり　３、剥離紙。平面図の図２の４〜１５は、告知ファイルを接着する時，木製や布製の告知物に対し、画鋲やピンで止めることが出来るように穴をあけた。１６は、表Ｉ、　１７は表ＩＩ部分になり、センターで折り返す。　完成図の図３の１８は、再剥離の塗布した粘着剤、１９は、粘着剤を保護する紙は、再剥離の塗布した粘着剤、１９は、粘着剤を保音波加工で接着し袋状に仕上げる。３０は、横サイド部分より印刷物等が封入でき、且つ印刷物の出し入れが何度も出来る。
図４はショウーウィンドやガラス等に告知物を貼りつけた図。
図５はホワイトボードや掲示板に告知物を貼り付けた図
図６は掲示板（木製，布製）は接着剤で完全に接着できにくい告知物を補強するために画鋲やピンで留めることが出来る。
【図１】
0003097182.tif 000003
【図２】
0003097182.tif 000004
【図３】
0003097182.tif 000005
【図４】
0003097182.tif 000006
【図５】
0003097182.tif 000007
【図６】
0003097182.tif 000008
【手続補正書】
【提出日】平成15年5月6日(2003.5.6)
【手続補正２】
【補正対象書類名】明細書
【補正対象項目名】実用新案登録請求の範囲
【補正方法】変更
【補正の内容】
【実用新案登録請求の範囲】
【請求項１】
ポリプロピレン又はペットフィルムからなるフィルムシート（１）と、再剥離粘着剤（２）と、再剥離粘着剤（２）を保護する剥離紙（３）とを含み、
フィルムシート（１）は、表面となる表Ｉ（１６）が裏面となる表ＩＩ（１７）の上になるように二つ折りされ、
二つ折りされたフィルムシート（１）の前記表Ｉ（１６）と前記表ＩＩ（１７）との上部（２８）および下部（２９）が、超音波加工により熱接着されて袋状に仕上がっており、
前記表ＩＩ（１７）の裏面にのみ前記再剥離粘着剤（２）が被膜され、再剥離粘着剤（２）の上に前記剥離紙（３）が貼ってある告知ファイル。
【請求項２】
二つ折りされた前記表Ｉ（１６）と前記表ＩＩ（１７）との上下に、穴（４〜１５）をあけてある請求項１記載の告知ファイル。